(57)【要約】【課題】  スイッチングタイミングおよびクロストーク成分のそれぞれに起因する送信信号の波形精度の劣化を双方ともに低減して、波形精度の高い超音波を送信する。【解決手段】  送信回路１は、複数の１次側巻線への通電を複数のトランジスタにより個別にオン／オフすることで、２次側巻線NTに誘起される信号を超音波を放射させるための送信信号として超音波振動子Tに出力する。送信波形生成回路４およびゲート駆動用バッファ回路５は、各トランジスタのオン／オフを高低の２レベルで表すとともに高レベル時における単位時間当りのが互いに異なる第１または第２のゲート駆動信号を出力するものであって、ＳＣＷモードでは供給電荷量が小さな第１のゲート駆動信号を、ＳＣＷモードとは条件が異なる動作モードでは第２のゲート駆動信号を少なくとも１つの１次側巻線のトランジスタに対して出力する。【選択図】      図１
2007117670.tif 000002
【特許請求の範囲】
【請求項１】
超音波振動子から放射される超音波を利用して被検体の診断を行う超音波診断装置において、
鉄心と、前記鉄心に巻かれた複数の１次側巻線と、前記鉄心に巻かれた２次側巻線と、前記複数の１次側巻線への通電を個別にオン／オフする複数のスイッチング素子とを具備し、前記２次側巻線に誘起される信号を前記超音波を放射させるための送信信号として前記超音波振動子に出力する送信回路と、
前記スイッチング素子のオン／オフを高低の２レベルで表すとともに高レベル時における単位時間当りの供給電荷量が互いに異なる第１または第２の駆動信号を出力するものであって、前記供給電荷量が大きい前記第２の駆動信号により前記スイッチング素子に生じるクロストークの振幅よりも小さな振幅の矩形波を前記送信信号とする第１の動作モードでは前記第１の駆動信号を、前記第１の動作モードとは条件が異なる第２の動作モードでは前記第２の駆動信号を少なくとも１つの１次側巻線のスイッチング素子に対して出力する出力回路とを具備したことを特徴とする超音波診断装置。
【請求項２】
前記出力回路は、前記第１の動作モードでは、１つの１次側巻線のみへの通電をオン／オフするように前記第２の駆動信号を出力することを特徴とする請求項１に記載の超音波診断装置。
【請求項３】
前記第１の動作モードは、複数の前記超音波振動子の一部で超音波を放射しつつ、複数の前記超音波振動子の別の一部で超音波エコーを受信する動作モードであり、前記第２の動作モードは前記第１の動作モードとは異なる動作モードであることを特徴とする請求項１に記載の超音波診断装置。
【発明の詳細な説明】
【技術分野】
【０００１】
本発明は、超音波振動子から放射される超音波を利用して被検体の診断を行う超音波診断装置に関する。
【背景技術】
【０００２】
超音波診断装置は、超音波プローブに設けられた振動子から超音波を放射させるための送信信号を生成する送信部を備える。
【０００３】
このような超音波診断装置における送信部としては、トランスを使用する回路が特許文献１により知られている。また特許文献１では、送信パルス用電源として異なる電圧の２電源を持ち、それぞれの電圧のトランスへの印加タイミングを制御することにより、２値レベルのパルスを発生する方法も述べられている。
【０００４】
特許文献１の技術を応用することで、１次側巻線を複数備えることにより、これらの１次側巻線のそれぞれで発生した磁束を２次側で加算することにより、多値レベルの送信パルスを発生させることが考えられる。この方式を以下においては磁束加算方式と称する。
【０００５】
以下に、この磁束加算方式による任意波形発生の概略を３電源加算時の場合について説明する。  
図５は磁束加算方式を利用した送信部の概略構成を示す図、図６は図５に示す送信部に含まれる電気回路の等価回路を示す図である。
【０００６】
コアＣは４本のポール（pole）Ｐａ，Ｐｂ，Ｐｃ，Ｐｄを持った形状をなす。これらのポールＰａ〜Ｐｄのうち、ポールＰａは２次側ポールとなり、ポールＰｂ〜Ｐｄは１次側ポールとなる。すなわちコアＣは、３本の１次側ポールＰｂ〜Ｐｄと１本の２次側ポールＰａとを備えている。
【０００７】
各々の１次側ポールＰｂ〜Ｐｄにはそれぞれ、センタタップ付きの励磁用巻線N0，N1，N2と短絡用巻線NZ0，NZ1，NZ2が巻かれている。送信用電源TXV0，TXV1，TXV2は、励磁用巻線N0，N1，N2のセンタタップにそれぞれ接続されている。スイッチSW1，SW2，SW3を閉じることにより、励磁用巻線N0，N1，N2に正極性のパルスを発生し、スイッチSW4，SW5，SW6を閉じることにより、励磁用巻線N0，N1，N2に負極性のパルスを発生させるようになっている。すなわち、加減算で考えると、スイッチSW1，SW2，SW3を閉じることは加算に相当し、スイッチSW4，SW5，SW6を閉じることは減算に相当する。
【０００８】
短絡用巻線NZ0，NZ1，NZ2をSW7，SW8，SW9で短絡させることにより、その１次側ポールＰｂ〜Ｐｄの励磁用巻線NZ0，NZ1，NZ2のセンタタップに入力されている電源を使用しない状態を実現できる。この状態は、加減算で考えるとゼロに相当する。
【０００９】
図６に示すように、励磁用巻線N0，N1，N2は、巻線N0A，N1A，N2Aと巻線N0B，N1B，N2Bとがセンタタップを挟んで並んでいると捉えることができる。短絡用巻線NZ0，NZ1，NZ2は、巻線NZ0A，NZ1A，NZ2Aと巻線NZ0B，NZ1B，NZ2Bとがセンタタップを挟んで並んでいると捉えることができる。
【００１０】
このように３つの１次側ポールにはそれぞれ、互いに同等な構成の１次側コイル回路が備えられる。
【００１１】
図７は送信用電源TXV0，TXV1，TXV2の電圧の比率を１：３：９とした場合に生成できる電圧値の一覧を表している。なお、トランスの昇圧比は１としている。すなわち、図６における巻線N0A，N0B，NZ0A，NZ0B，N1A，N1B，NZ1A，NZ1B，N2A，N2B，NZ2A，NZ2B，NTの巻線数は同一としている。
【００１２】
図７においては、正極性パルスを発生させる場合（スイッチSW1，SW2，SW3を閉じた状態）を「１」、負極性パルスを発生させる場合（スイッチSW4，SW5，SW6を閉じた状態）を「−１」、スイッチSW7，SW8，SW9を閉じた状態を「０」と表現している。
【００１３】
例えば、送信電圧レベル「６」を発生させる場合は、スイッチSW3，SW5，SW7を閉じることを示している。この状態では、スイッチSW3を閉じることが＋９（１×９）に相当し、スイッチSW5を閉じることが−３（−１×３）に相当し、スイッチSW7を閉じることが０（０×１）に相当することから、＋９−３＋０という演算によりレベル「６」が得られる。
【００１４】
このように３種類の電圧の加減算により±１３レベルの波形を発生させる事が可能となる。例えば、送信用電源TXV0の電圧を２Ｖと設定した場合、送信用電源TXV1の電圧は6Ｖ、送信用電源TXV2の電圧は１８Ｖとなり±２６Ｖの電圧を±１３レベル量子化にて発生させることができる。
【００１５】
また、１次側と２次側の巻線比を変えることにより任意の昇圧が可能である。
【００１６】
なお、数MHzから１０数MHzの超音波を発生可能とするためには、ＭＯＳ  ＦＥＴ等の高速スイッチングが可能なスイッチング素子を使用するのが妥当である。
【特許文献１】米国特許第６０５０９４５号明細書
【発明の開示】
【発明が解決しようとする課題】
【００１７】
上記のような構成の送信回路においては、各スイッチのスイッチングタイミングがずれると、送信波形にグリッチが発生し、波形精度が劣化する。このため、各スイッチングのスイッチングタイミングを極力一致させることが要求される。
【００１８】
MOS FETのようなスイッチング素子は、駆動信号のスルーレート（単位時間当たりの供給電荷量）が高いほどオン／オフの切り換わりが早くなるため、各スイッチのスイッチングタイミングを合わせ易くなる。
【００１９】
このような事情から、スイッチの駆動用には、高いドライブ能力を有した駆動回路が使用されている。
【００２０】
しかしながらMOS FETは、駆動信号のスルーレートが高くなるほど、ゲートからドレインへのクロストーク量が増加する。クロストーク成分は、送信波形に付加されるため、送信信号の波形精度を劣化させる恐れがあった。
【００２１】
本発明はこのような事情を考慮してなされたものであり、その目的とするところは、スイッチングタイミングおよびクロストーク成分のそれぞれに起因する送信信号の波形精度の劣化を双方ともに低減して、波形精度の高い超音波を送信することができる超音波診断装置を提供することにある。
【課題を解決するための手段】
【００２２】
以上の目的を達成するために本発明は、超音波振動子から放射される超音波を利用して被検体の診断を行う超音波診断装置において、鉄心と、前記鉄心に巻かれた複数の１次側巻線と、前記鉄心に巻かれた２次側巻線と、前記複数の１次側巻線への通電を個別にオン／オフする複数のスイッチング素子とを具備し、前記２次側巻線に誘起される信号を前記超音波振動子に前記超音波を放射させるための送信信号として出力する送信回路と、前記スイッチング素子のオン／オフを高低の２レベルで表すとともに高レベル時における単位時間当りの供給電荷量が互いに異なる第１または第２の駆動信号を出力するものであって、前記供給電荷量が大きい前記第２の駆動信号により前記スイッチング素子に生じるクロストークの振幅よりも小さな振幅の矩形波を前記送信信号とする第１の動作モードでは前記第１の駆動信号を、前記第１の動作モードとは条件が異なる第２の動作モードでは前記第２の駆動信号を少なくとも１つの１次側巻線のスイッチング素子に対して出力する出力回路とを備えた。
【発明の効果】
【００２３】
本発明によれば、スイッチングタイミングおよびクロストーク成分のそれぞれに起因する送信信号の波形精度の劣化を双方ともに低減して、波形精度の高い超音波を送信することが可能となる。
【発明を実施するための最良の形態】
【００２４】
以下、図面を参照して本発明の一実施形態について説明する。
【００２５】
図１は本実施形態に係る送信装置の実用的な回路構成を示す図である。なお、図５および図６と同一部分には同一符号を付している。
【００２６】
図１に示すように本実施形態に係る超音波診断装置は、送信回路１、波形データ記憶部２、基準クロック発生部３、送信波形生成回路４、複数のゲート駆動用バッファ回路５、制御部６、前置増幅器７および信号処理部８を含む。
【００２７】
送信回路１は、原理的には図５に示す構成により磁束加算方式によって多値レベルの送信パルスを発生するものである。送信回路１は、巻線NT，N0A，N0B，NZ0A，NZ0B，N1A，N1B，NZ1A，NZ1B，N2A，N2B，NZ2A，NZ2B、トランジスタQN0A，QN0B，QZ0A，QZ0B，QN1A，QN1B，QZ1A，QZ1B，QN2A，QN2B，QZ2A，QZ2B、抵抗R0A，R0B，R1A，R1B，R2A，R2Bを含む。
【００２８】
巻線NTは、２次側ポールであるポールＰａに備えられた２次側巻線である。巻線NTには、超音波振動子Tと前置増幅器７とが接続されている。
【００２９】
巻線N0A，N0Bは、１次側ポールであるポールＰｂに備えられた励磁用巻線N0におけるセンタタップを挟んだ２つの部分にそれぞれ相当する。巻線N0Aには、正極性パルス発生用のスイッチSW1としてのトランジスタQN0Aが接続されている。巻線N0Bには、負極性パルス発生用のスイッチSW4としてのトランジスタQN0Bが接続されている。巻線N0A，N0Bの間のセンタタップは、送信用電源TXV0に接続される。
【００３０】
巻線NZ0A，NZ0Bは、ポールＰｂに備えられた短絡用巻線NZ0におけるセンタタップを挟んだ２つの部分にそれぞれ相当する。巻線NZ0A，NZ0Bには、短絡用のスイッチSW7としてのトランジスタQZ0A，QZ0Bが、抵抗R0A，R0Bを介してそれぞれ接続されている。
【００３１】
これらの巻線N0A，N0B，NZ0A，NZ0B、トランジスタQN0A，QN0B，QZ0A，QZ0Bおよび抵抗R0A，R0Bにより、ポールＰｂに関する１次側コイル回路が形成されている。
【００３２】
巻線N1A，N1Bは、１次側ポールであるポールＰｃに備えられた励磁用巻線N1におけるセンタタップを挟んだ２つの部分にそれぞれ相当する。巻線N1Aには、正極性パルス発生用のスイッチSW2としてのトランジスタQN1Aが接続されている。巻線N1Bには、負極性パルス発生用のスイッチSW5としてのトランジスタQN1Bが接続されている。巻線N1A，N1Bの間のセンタタップは、送信用電源TXV1に接続される。
【００３３】
巻線NZ1A，NZ1Bは、ポールＰｃに備えられた短絡用巻線NZ1におけるセンタタップを挟んだ２つの部分にそれぞれ相当する。巻線NZ1A，NZ1Bには、短絡用のスイッチSW8としてのトランジスタQZ1A，QZ1Bが、抵抗R1A，R1Bを介してそれぞれ接続されている。
【００３４】
これらの巻線N1A，N1B，NZ1A，NZ1B、トランジスタQN1A，QN1B，QZ1A，QZ1Bおよび抵抗R1A，R1Bにより、ポールＰｃに関する１次側コイル回路が形成されている。
【００３５】
巻線N2A，N2Bは、１次側ポールであるポールＰｄに備えられた励磁用巻線N2におけるセンタタップを挟んだ２つの部分にそれぞれ相当する。巻線N2Aには、正極性パルス発生用のスイッチSW3としてのトランジスタQN2Aが接続されている。巻線N2Bには、負極性パルス発生用のスイッチSW6としてのトランジスタQN2Bが接続されている。巻線N2A，N2Bの間のセンタタップは、送信用電源TXV2に接続される。
【００３６】
巻線NZ2A，NZ2Bは、ポールＰｄに備えられた短絡用巻線NZ2におけるセンタタップを挟んだ２つの部分にそれぞれ相当する。巻線NZ2A，NZ2Bには、短絡用のスイッチSW9としてのトランジスタQZ2A，QZ2Bが、抵抗R2A，R2Bを介してそれぞれ接続されている。
【００３７】
これらの巻線N2A，N2B，NZ2A，NZ2B、トランジスタQN2A，QN2B，QZ2A，QZ2Bおよび抵抗R2A，R2Bにより、ポールＰｄに関する１次側コイル回路が形成されている。
【００３８】
なお、トランジスタQN0A，QN0B，QZ0A，QZ0B，QN1A，QN1B，QZ1A，QZ1B，QN2A，QN2B，QZ2A，QZ2Bはいずれも、同一品種のMOS FETである。これらのトランジスタのオン抵抗値をＲonと表す。このとき抵抗R0A，R0B，R1A，R1B，R2A，R2Bの抵抗値もＲonと等しい値を用いることとする。
【００３９】
ところで、以上のように短絡用巻線を短絡させるためのスイッチング素子としてMOS FETを２個使用する構成については、本出願人が特願２００４−２１０１０９として提案している。この構成においても、多値レベルの送信パルスを発生する原理は、図６に示した構成と何ら変わらない。
【００４０】
波形データ記憶部２は、送信回路１に含まれる３つの１次側コイル回路のそれぞれの状態変化パターンを示した波形データを記憶する。
【００４１】
基準クロック発生部３は、送信回路１の状態を変化させるタイミングに同期した基準クロックを発生する。
【００４２】
送信波形生成回路４には、制御部６から送信波形データが与えられる。送信波形生成回路４は、基準クロック発生部３が発生した基準クロックに同期して、１次側コイル回路のそれぞれを送信波形データが示す状態とするように、各トランジスタ用のゲート制御信号を発生し、これを出力する。
【００４３】
ゲート駆動用バッファ回路５には、送信波形生成回路４が出力したゲート制御信号がそれぞれ入力される。ゲート駆動用バッファ回路５は、ゲート制御信号を各トランジスタを駆動するのに適するようにレベル変換してゲート駆動信号を生成し、これを出力する。
【００４４】
制御部６は、例えばコンピュータを備えて構成され、この超音波診断装置の各部を総括制御する。制御部６は、従来よりある超音波診断装置が備える各種の動作を実現するための制御機能を備える。制御部６は他に、波形データ記憶部２から波形データと設定された諸条件とに基づいて、送信波形形状、送信遅延時間、波形持続時間、送信周波数、送信電圧レベル等を表す送信波形データを生成し、送信波形生成回路４へと出力する。制御部６はまた、操作者によって指定された動作モード（パルスモード）がＳＣＷモードであるか否かを表すＳＣＷモード信号をゲート駆動用バッファ回路５に出力する。
【００４５】
前置増幅器７は、超音波振動子Ｔが出力した反射超音波信号を、信号処理部８が処理するのに適したレベルに増幅する。
【００４６】
信号処理部８は、前置増幅器７が出力する反射超音波信号を周知のように処理して、医用診断に有用な各種の周知の情報を生成し、これを表示する。
【００４７】
図２はゲート駆動用バッファ回路５の具体的な構成を示す図である。
【００４８】
図２に示すようにゲート駆動用バッファ回路５は、３つのバッファ回路５１，５２，５３およびスイッチ５４を含む。バッファ回路５１，５２，５３は、互いに並列に接続されている。これらバッファ回路５１，５２，５３には、ゲート制御信号が入力される。バッファ回路５１，５２，５３は、ゲート制御信号をレベル変換して出力する。なおバッファ回路５１，５２，５３は、例えばコンプリメンタリエミッタフォロワ回路等により構成され、互いに同一の駆動能力を有する。すなわちバッファ回路５１，５２，５３は、ゲート駆動信号が高レベルであるときにおけるトランジスタへの単位時間当たりの電荷供給量が互いに同一である。
【００４９】
スイッチ５４には、ＳＣＷモード信号が入力される。スイッチ５４は、バッファ回路５１の出力端とバッファ回路５２，５３の出力端との接続をＳＣＷモード信号に応じてオン／オフする。
【００５０】
次に以上のように構成された超音波診断装置の動作について説明する。
【００５１】
通常、送信波形の生成およびプローブへの出力は次のように行われている。まず、送信波形生成回路４に制御部６から、送信波形データが送られる。送信波形生成回路４は送信波形データが表す各種の情報に基づいてゲート制御信号を生成し、このゲート駆動信号をゲート駆動用バッファ回路５に送る。
【００５２】
Ｂモード、Ｃモード、ＰＷＤモードなどのＳＣＷモード以外の動作モードであるときには、スイッチ５４はオンになっている。従ってこのときにゲート制御信号は、バッファ回路５１，５２，５３にて電圧／電流ともに増幅されてゲート駆動信号（以下、第２のゲート駆動信号と称する）とされる。そしてこのように生成された第２のゲート駆動信号により各トランジスタが駆動されて、磁束加算方式によって多値レベルの送信パルスが発生される。
【００５３】
ＳＣＷモードであるときには、スイッチ５４がオフになる。従ってこのときにゲート制御信号は、バッファ回路５１のみによって増幅されてゲート駆動信号（以下、第１のゲート駆動信号と称する）とされる。そしてこのように生成された第１のゲート駆動信号により各トランジスタが駆動される。バッファ回路５１，５２，５３は互いに同一の駆動能力を有するから、第１のゲート駆動信号による各トランジスタの駆動能力は、第２のゲート駆動信号によるそれの１／３に低減される。
【００５４】
ところでＳＣＷモードにおいては、他の動作モードのときに比べて送信信号振幅が小さな矩形波の送信が行われる。このため本実施形態においては、ＳＣＷモードにおいて制御部６は、１つの１次側コイル回路のみをオン／オフし、他の１次側コイル回路は一定の状態を維持するようなゲート駆動信号が生成されるように送信波形データを生成する。なお送信信号振幅は、磁束加算によって微細に変化させることができ、送信用電源TXV0，TXV1，TXV2を変化させることによって大きく変化させることができる。ＳＣＷモードと他の動作モードとの送信信号振幅の差は大きいので、主に送信用電源TXV0，TXV1，TXV2の変化により送信信号振幅の調整を行う。
【００５５】
このように本実施形態によれば、ＳＣＷモード以外の動作モードのときには、３つのバッファ回路５１，５２，５３による高い駆動能力によって各トランジスタを駆動することによって、各トランジスタの状態を急峻に変更させ、スイッチングタイミングを極力一致させることができる。各トランジスタの駆動能力を高めているので、各トランジスタにおいて生じるクロストーク量も大きくなるが、Ｂモード、Ｃモード、ＰＷＤモードなどの動作モードでは送信信号振幅が非常に大きいので、クロストーク成分は本来の送信波形に埋もれてしまう。このため、クロストーク成分による波形精度の劣化はごく僅かである。
【００５６】
ＳＣＷモードにおいては、送信信号振幅が小さいため、他のモードと同じ駆動能力にて各トランジスタを駆動した場合には、例えば図３に示すようにクロストーク成分がオーバーシュートおよびアンダーシュートとして顕著に現れてしまい、波形精度が大幅に劣化してしまう。この大きなオーバーシュートおよびアンダーシュートは、送信信号ラインから受信信号ラインへの送信信号のクロストーク量を増加させる原因となる。
【００５７】
しかしながら、本実施形態では、ＳＣＷモード時には各トランジスタの駆動能力を他の動作モードのときの１／３に低減しているから、クロストーク成分を低減でき、送信波形のオーバーシュートおよびアンダーシュートを図４に示すように大幅に低減できる。各トランジスタの駆動能力を低減していることにより、各トランジスタの状態の変化が緩慢になるが、ＳＣＷモード時においては１つの１次側コイル回路のみをオン／オフするようにしていることから、スイッチングタイミングのずれの問題は生じない。すなわち、駆動能力を低減していることによる波形精度の劣化は生じない。
【００５８】
すなわち本実施形態では、各トランジスタでのクロストーク成分がＳＣＷモードのように送信信号振幅が小さい動作モードで波形精度を大きく劣化させ、他の送信信号振幅が大きな動作モードにおいては波形精度をほとんど劣化させないことに着目して、動作モードに応じて各トランジスタの駆動能力を変化させるようにしている。さらに本実施形態では、ＳＣＷモードが矩形波送信であることに着目して、１つの１次側コイル回路のみをオン／オフすることによってスイッチングタイミングのずれの問題を解消し、各トランジスタの駆動能力を低下することを可能としている。そしてこれらの結果として本実施形態によれば、広範な動作状態においていずれも高い波形精度の超音波を送信することが可能である。
【００５９】
この実施形態は、次のような種々の変形実施が可能である。
【００６０】
ＳＣＷモードにおいても、３つの１次側コイル回路を個別にオン／オフするようにしても良い。この場合、各トランジスタのスイッチングタイミングのずれによる波形精度の劣化は大きくなってしまうが、送信波形は矩形波であるので、この波形精度の劣化の影響は多値レベルの送信波形を送信する場合に比べて小さいため、オーバーシュートおよびアンダーシュートの減少によりトータルとしての波形精度の向上が期待できる。
【００６１】
前記実施形態のようにＳＣＷモードにおいては１つの１次側コイル回路のみをオン／オフするのであるならば、その１つの１次側コイル回路に含まれるトランジスタ用のゲート制御信号に関するゲート駆動用バッファ回路のみを駆動能力の可変を可能なものとして、他のゲート駆動用バッファ回路は駆動能力を固定としたものとしても良い。
【００６２】
送信信号の振幅がトランジスタでのクロストークの振幅よりも小さな矩形波を送信する動作モードを備えた超音波診断装置においては、ＳＣＷモード以外の動作モードであってもＳＣＷモードと同様な動作状態とするようにするべきである。
【００６３】
ゲート駆動用バッファ回路５は、各モードに適切な駆動能力を達成できれば良く、備えるバッファ回路の数等は任意に選択可能である。また、ゲート駆動用バッファ回路５に備えられる複数のバッファ回路の全てが同一性能を備えなくても良く、トータルとしての駆動能力が各モードに適したものとなっていれば良い。
【００６４】
ＳＣＷモード時におけるゲート駆動用バッファ回路５の駆動能力は、各トランジスタで生じるクロストーク量が送信信号振幅よりも小さくなるように設定することが望ましい。しかし、ＳＣＷモード以外の動作モードにおけるゲート駆動用バッファ回路５の駆動能力よりも低くなっていれば、オーバーシュートおよびアンダーシュートを減少でき、波形精度の向上を図ることが出来る。
【００６５】
１次側コイル回路の数は、２つまたは４つ以上であっても良い。
【００６６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００６７】
【図１】本発明の一実施形態に係る送信装置の実用的な回路構成を示す図。
【図２】図１中のゲート駆動用バッファ回路５の具体的な構成を示す図。
【図３】ＳＣＷモードにおいて他のモードと同じ駆動能力にて各トランジスタを駆動した場合の送信波形の一例を示す図。
【図４】ＳＣＷモードにおいて他のモードよりも低い駆動能力にて各トランジスタを駆動した場合の送信波形の一例を示す図。
【図５】磁束加算方式を利用した送信部の概略構成を示す図。
【図６】図５に示す送信部に含まれる電気回路の等価回路を示す図。
【図７】送信用電源TXV0，TXV1，TXV2の電圧の比率を１：３：９とした場合に生成できる電圧値の一覧を表わす図。
【符号の説明】
【００６８】
１…送信回路、２…波形データ記憶部、３…基準クロック発生部、４…送信波形生成回路、５…ゲート駆動用バッファ回路、６…制御部、７…前置増幅器、８…信号処理部、５１，５２，５３…バッファ回路、５４…スイッチ。
【図１】
2007117670.tif 000003
【図２】
2007117670.tif 000004
【図３】
2007117670.tif 000005
【図４】
2007117670.tif 000006
【図５】
2007117670.tif 000007
【図６】
2007117670.tif 000008
【図７】
2007117670.tif 000009